(57)【要約】【課題】複雑な搬送手段を必要とせず，健常者以外の操作者にも操作が容易で信頼性が高い画像形成装置を提供すること。【解決手段】複写機１００は，装置の最上位に設けられたＡＤＦ１１と，第１画像読撮部１と，画像形成部２と，第１画像読撮部１よりも下方に設けられた手差し給紙部３と，手差し給紙部３近傍に設けられた第２画像読撮部４とを備えている。また，第２画像読撮部４は，手差し供給部３の近傍であって，第１搬送経路５と第２搬送経路６との共通経路上に位置している。さらに，第２画像読撮部４の下流には，第１搬送経路５と第２搬送経路６との分岐点があり，その分岐点には搬送経路の切替ガイド７が設けられている。【選択図】            図１
2005345623.tif 000002
【特許請求の範囲】
【請求項１】
原稿の画像を読み撮り，記録媒体上に読み撮った画像を再現する画像形成装置において，
原稿の載置が可能な第１原稿載置部と，
前記第１原稿載置部に載置された原稿の画像を読み撮る第１画像読撮部と，
前記第１原稿載置部よりも下方に位置し，原稿の載置が可能な第２原稿載置部と，
前記第１画像読撮部よりも下方に位置し，前記第２原稿載置部に載置された原稿の画像を読み撮る第２画像読撮部と，
前記第１画像読撮部あるいは前記第２画像読撮部にて読み撮った画像を記録媒体上に再現する画像形成部とを有することを特徴とする画像形成装置。
【請求項２】
請求項１に記載する画像形成装置において，
前記第２原稿載置部から装置内に送り込まれた被搬送体を前記画像形成部を経由して装置外に排紙する第１搬送経路と，前記第２原稿載置部から装置内に送り込まれた被搬送体を前記画像形成部を経由することなく装置外に排紙する第２搬送経路とが設けられ，
前記第２原稿載置部から装置内に送り込まれた被搬送体の搬送経路を，前記第１搬送経路と前記第２搬送経路とのいずれかに選択的にガイドする搬送経路ガイド部を有することを特徴とする画像形成装置。
【請求項３】
請求項２に記載する画像形成装置において，
前記第２画像読撮部にて読み撮った画像を解析して画像情報があるか否かを判断し，その判断結果を基に前記搬送経路ガイド部での搬送経路を選択する制御部を有し，
前記第２画像読撮部は，前記第２原稿載置部から装置内に送り込まれる被搬送体の搬送経路中，前記搬送経路ガイド部よりも上流側に位置し，
前記制御部は，画像情報なしと判断した場合には第１搬送経路を選択し，画像情報ありと判断した場合には第２搬送経路を選択することを特徴とする画像形成装置。
【請求項４】
原稿の画像を読み撮り，記録媒体上に読み撮った画像を再現する画像形成装置において，
原稿の載置が可能な第１原稿載置部と，
前記第１原稿載置部に載置された原稿の画像を読み撮る第１画像読撮部と，
前記第１原稿載置部よりも下方に位置し，原稿の載置が可能な第２原稿載置部と，
前記第１画像読撮部よりも下方に位置し，前記第２原稿載置部に載置された原稿の画像を読み撮る第２画像読撮部と，
前記第１画像読撮部あるいは前記第２画像読撮部にて読み撮った画像を記録媒体上に再現する画像形成部とを有し，
記録媒体の搬送経路は，前記画像形成部より下流側の部分で前記第２原稿載置部から装置内に送り込まれる原稿の搬送経路と共通し，
前記第２画像読撮部は，原稿の搬送経路と記録媒体の搬送経路とが共通する箇所に位置し，記録媒体に形成された画像を読み撮る機能を兼ねることを特徴とする画像形成装置。
【請求項５】
請求項４に記載する画像形成装置において，
記録媒体の搬送経路は，前記画像形成部よりも下流側であって原稿の搬送経路と合流する箇所よりも上流側で少なくとも２つに分岐していることを特徴とする画像形成装置。
【請求項６】
請求項１から請求項５のいずれか１つに記載する画像形成装置において，
記録媒体の搬送経路中，前記画像形成部よりも下流側に位置し，記録媒体上に形成された画像を読み撮る第３画像読撮部を有することを特徴とする画像形成装置。
【発明の詳細な説明】
【技術分野】
【０００１】
本発明は，原稿の画像を読み撮り，読み撮った画像を記録媒体上に再現する画像形成装置に関する。さらに詳細には，健常者だけではなく，高齢者，若年者，身体障害者等の使用を考慮し，操作性を改善した画像形成装置に関する。
【背景技術】
【０００２】
近年，複写機等の画像形成装置においても，誰もが快適に操作できることを目的とする設計，所謂，ユニバーサルデザインの必要性が求められている。そこで，背が低い子供や車椅子利用者等が画像形成装置を操作することを想定して，角度可変機能を有する操作パネル等が提案されている（例えば，特許文献１）。
【０００３】
また，原稿自動搬送装置（ＡＤＦ：Auto Document Feeder）は，健常者の操作性を優先し，通常，装置の最上部に配置されている。このようにＡＤＦを装置の最上部に配置すると，原稿を高い位置にセットしなければならない。この作業は，健常者にとってはそれほど負担とならないが，高齢者，若年者，身体障害者，特に車椅子利用者にとっては大きな負担となる。
【０００４】
この問題に着目した技術として，原稿トレイを，通常の装置最上部に加え，画像読撮部よりも下方の位置に設けた画像形成装置が提案されている（例えば，特許文献２）。すなわち，原稿の載置や回収，さらに画像形成装置の操作を画像形成装置の低い位置でもできるようにしている。これにより，車椅子利用者や背が低い子供でも装置の利用が容易になるとしている。
【特許文献１】特開２００３−３２３０８４号公報
【特許文献２】特開２００３−３１９１１６号公報
【発明の開示】
【発明が解決しようとする課題】
【０００５】
しかしながら，前記した従来の画像形成装置には，次のような問題があった。すなわち，原稿を画像読撮部よりも下方にセットするため，その原稿を装置上位部に設けられた画像読撮部まで搬送する機構が必要となる。従って，搬送経路が長く複雑になり，原稿搬送の信頼性が低下するとともに，ジャムが発生した際のメンテナンスが困難になってしまうという弊害があった。さらに，装置自体のコンパクト化，低コスト化の妨げにもなってしまう。
【０００６】
本発明は，前記した従来の画像形成装置が有する問題点を解決するためになされたものである。すなわちその課題とするところは，複雑な搬送手段を必要とせず，健常者以外の操作者にも操作が容易で信頼性が高い画像形成装置を提供することにある。
【課題を解決するための手段】
【０００７】
この課題の解決を目的としてなされた画像形成装置は，原稿の画像を読み撮り，記録媒体上に読み撮った画像を再現する画像形成装置であって，原稿の載置が可能な第１原稿載置部と，第１原稿載置部に載置された原稿の画像を読み撮る第１画像読撮部と，第１原稿載置部よりも下方に位置し，原稿の載置が可能な第２原稿載置部と，第１画像読撮部よりも下方に位置し，第２原稿載置部に載置された原稿の画像を読み撮る第２画像読撮部と，第１画像読撮部あるいは第２画像読撮部にて読み撮った画像を記録媒体上に再現する画像形成部とを有するものである。
【０００８】
本発明の画像形成装置は，原稿を載置する場所を第１原稿載置部と第２原稿載置部との２箇所に設けている。そして，第２原稿載置部を第１原稿載置部より下方の位置に設けている。そのため操作者は，原稿載置部の選択が可能であり，操作者ごとに操作し易い方を使用することができる。例えば，車椅子利用者は，装置の下方に設けられた第２原稿載置部を利用することで，無理なく原稿を載置することができる。一方，健常者は，従来の画像形成装置と同じように，装置の最上位に設けられた第１原稿載置部を利用すればよい。これにより，健常者の操作性を損なうことなく，健常者以外の者に対する操作性を向上させることができる。
【０００９】
さらに，本発明の画像形成装置は，画像読撮部についても，装置の上位部に設けられた第１画像読撮部と，装置の下位部に設けられた第２画像読撮部とを有している。そして，第１原稿載置部から搬送される原稿は第１画像読撮部で，第２原稿載置部から搬送される原稿は第２画像読撮部でそれぞれ画像が読み撮られる。そのため，第２原稿載置部に載置された原稿を装置の上位部に設けられた第１画像読撮部まで搬送する機構が不要となる。よって，搬送機構がシンプルとなるとともに搬送経路の経路長が短くなる。従って，原稿搬送の信頼性が高い。また，原稿搬送時にジャムが発生したとしてもその復帰作業を容易に行うことができる。
【００１０】
また，本発明の画像形成装置は，第２原稿載置部から装置内に送り込まれた被搬送体を画像形成部を経由して装置外に排紙する第１搬送経路と，第２原稿載置部から装置内に送り込まれた被搬送体を画像形成部を経由することなく装置外に排紙する第２搬送経路とが設けられ，第２原稿載置部から装置内に送り込まれた被搬送体の搬送経路を，第１搬送経路と第２搬送経路とのいずれかに選択的にガイドする搬送経路ガイド部を有することとするとよりよい。
【００１１】
すなわち，第２原稿載置部から装置内に送り込まれる被搬送体には，原稿と記録媒体とがある。記録媒体としては，通常の記録用紙のほか，ＯＨＰシート等が含まれる。そして，搬送経路ガイド部にて，記録媒体の搬送経路（第１搬送経路）と原稿の搬送経路（第２搬送経路）とが切り換えられる。なお，搬送経路の選択は，操作パネルや外部端末機器から指示すればよい。これにより，本発明の画像形成装置の第２原稿載置部は，原稿の載置箇所と記録媒体の載置箇所とを兼ねることができる。よって，搬送経路をシンプルにすることができ，装置全体のコンパクト化が図られる。
【００１２】
さらに，本発明の画像形成装置は，第２画像読撮部にて読み撮った画像を解析して画像情報があるか否かを判断し，その判断結果を基に搬送経路ガイド部での搬送経路を選択する制御部を有し，第２画像読撮部は，第２原稿載置部から装置内に送り込まれる被搬送体の搬送経路中，搬送経路ガイド部よりも上流側に位置し，制御部は，画像情報なしと判断した場合に第１搬送経路を選択し，画像情報ありと判断した場合に第２搬送経路を選択することとするとよりよい。
【００１３】
すなわち，本発明の画像形成装置では，第２画像読撮部にて読み撮った画像を解析している。具体的には，読み撮った画像に文字，図画等の画像情報があるか否かを判断し，第２原稿載置部から送り込まれた被搬送体が原稿であるか記録媒体であるかを判断している。そして，制御部では，画像解析の結果によって搬送経路ガイド部の切替えを自動的に行っている。そのため，操作者は，被搬送体の搬送経路を設定する必要がない。よって，操作の簡素化が図られる。また，操作者の操作ミスにより，原稿が画像形成部に送られることを回避することができる。よって，原稿の損傷を回避することができる。
【００１４】
また，本発明の別の画像形成装置は，原稿の画像を読み撮り，記録媒体上に読み撮った画像を再現する画像形成装置であって，原稿の載置が可能な第１原稿載置部と，第１原稿載置部に載置された原稿の画像を読み撮る第１画像読撮部と，第１原稿載置部よりも下方に位置し，原稿の載置が可能な第２原稿載置部と，第１画像読撮部よりも下方に位置し，第２原稿載置部に載置された原稿の画像を読み撮る第２画像読撮部と，第１画像読撮部あるいは第２画像読撮部にて読み撮った画像を記録媒体上に再現する画像形成部とを有し，記録媒体の搬送経路は，画像形成部より下流側の部分で第２原稿載置部から装置内に送り込まれる原稿の搬送経路と共通し，第２画像読撮部は，原稿の搬送経路と記録媒体の搬送経路とが共通する箇所に位置し，記録媒体に形成された画像を読み撮る機能を兼ねることを特徴している。
【００１５】
このような画像形成装置であっても，原稿載置部を２箇所に備えているため，背が低い子供や車椅子利用者にとっても操作性が良好である。また，画像読撮部を２箇所に備えているため，搬送経路もシンプルであり，原稿搬送の信頼性が高い。さらに，第２画像読撮部は，記録媒体の搬送経路中の画像形成部より下流に位置することから，原稿の画像を読み撮る機能に加え，記録媒体に形成された画像を読み撮る機能も備えている。そのため，記録紙に出力される画像の監視を行うことができる。これにより，例えば紙幣や有価証券等の偽造を防止する機能を設けることができる。
【００１６】
また，前記した画像形成装置の記録媒体の搬送経路は，画像形成部よりも下流側であって原稿の搬送経路と合流する箇所よりも上流側で少なくとも２つに分岐していることとするとよりよい。
【００１７】
すなわち，記録媒体の搬送経路に分岐点を設けることで，複数の排紙経路が設けられる。すなわち，原稿の搬送経路を介さずに記録紙を排紙する搬送経路を設けることができる。これにより，原稿の画像読撮り時には，原稿の画像読撮りと画像形成とを並行して行うことが可能となる。また，画像形成のみを行う時には，排紙経路が複数あるため，記録紙の排紙先を用途に応じて振り分けることが可能となる。これらにより，作業の効率化が図られる。
【００１８】
さらに，記録媒体の搬送経路中，画像形成部よりも下流側に位置し，記録媒体上に形成された画像を読み撮る第３画像読撮部を有することとするとよりよい。これにより，記録紙に出力される画像の監視を確実に行うことができる。
【発明の効果】
【００１９】
本発明によると，原稿載置部を２箇所に設けることにより，健常者の操作性を損なうことなく，健常者以外の者に対する操作性を向上させることができる。また，画像読撮部を各原稿載置部に対応してそれぞれ設けることにより，原稿の搬送経路がシンプルになる。従って，複雑な搬送手段を必要とせず，健常者以外の操作者にも操作が容易で信頼性が高い画像形成装置が提供されている。
【発明を実施するための最良の形態】
【００２０】
以下，本発明を具体化した実施の形態について，添付図面を参照しつつ詳細に説明する。なお，本実施の形態は，電子写真方式の複写機に本発明を適用したものである。
【００２１】
［第１の形態］
第１形態の複写機１００は，電子写真方式のデジタル複写機であり，図１に示すように装置の最上位に設けられたＡＤＦ１１と，ＡＤＦ１１の直下に設けられた第１画像読撮部１と，記録紙上に画像を形成する画像形成部２と，第１画像読撮部１よりも下方に設けられた第２画像読撮部４と，記録紙をサイズごとあるいは種類ごとに分けて保管する給紙カセット１２とを備えている。第２画像読撮部４には，例えばラインスキャナが適用可能である。また，複写機１００は，原稿あるいは記録紙を載置する手差しトレイ３１と，手差しトレイ３１に載置された原稿等を装置内部に供給する搬入ローラ３２とによって構成される手差し給紙部３を備えている。
【００２２】
また，複写機１００には，第１画像読撮部１の下方に設けられた第１排紙トレイ１０と，手差し給紙部３の下方に設けられた第２排紙トレイ９とが備えられている。第１排紙トレイ１０には，給紙カセット１２あるいは手差し給紙部３から画像形成部２を介して搬送されてくる記録紙が排出される。すなわち，第１排紙トレイ１０には，画像形成部２にて画像が形成された記録紙が載置される。一方，第２排紙トレイ９には，手差し給紙部３から第２画像読撮部４を介して搬送された原稿が排出される。すなわち，第２排紙トレイ９には，画像読撮り後の原稿が載置される。なお，本形態では，記録紙が手差し給紙部３から画像形成部２を経て第１排紙トレイ１０に至るまでの経路を「第１搬送経路５」とし，原稿が手差し給紙部３から第２排紙トレイ９に至るまでの経路を「第２搬送経路６」とする。
【００２３】
また，複写機１の前面には，傾斜角度の変更が可能な操作パネル９０が設置されている。この操作パネル９０にて各種の機能の設定が可能である。特に，本形態の複写機１００の操作パネル９０には，手差し給紙部３に原稿あるいは記録紙が載置されたときの動作モードを選択するスイッチが設けられている。具体的に，操作パネル９０にて選択する動作モードとしては，手差し給紙部３に載置された被搬送体（原稿）の画像読撮りを行うモード（以下，「画像読撮りモード」とする）と，手差し給紙部３に載置された被搬送体（記録紙）を画像形成部２に搬送するモード（以下，「給紙モード」とする）とがある。
【００２４】
また，第１搬送経路５と第２搬送経路６とは，手差し給紙部３を出発点とすることについて共通している。また，第２画像読撮部４は，手差し供給部３の近傍であって，第１搬送経路５と第２搬送経路６との共通経路上に位置している。そして，第２画像読撮部４の下流には，第１搬送経路５と第２搬送経路６との分岐点があり，その分岐点には搬送経路の切替ガイド７が設けられている。なお，この切替ガイド７は，操作パネル９０にて選択される動作モードによって切替え可能に設けられている。具体的に，画像読撮りモードが選択されている場合には，図１中の７ａの位置に，給紙モードが選択されている場合には，図１中の７ｂの位置に切り替えられる。
【００２５】
続いて，複写機１００における原稿の画像読撮り動作について，ＡＤＦ１１を使用する，すなわち第１画像読撮部１にて画像を読み撮る場合と，手差し給紙部３を使用する，すなわち第２画像読撮部４にて画像を読み撮る場合とに分けて説明する。なお，ＡＤＦ１１と手差し給紙部３との選択は，操作パネル９０にてあらかじめ設定しておく。また，手差し給紙部３を選択した際には，あらかじめ画像読撮りモードを選択しておく。
【００２６】
第１画像読撮部１にて原稿の画像読撮りを行う場合には，まず操作者によって原稿がＡＤＦ１１の原稿載置トレイ１３にセットされ，操作パネル９０のスタートボタンが押下される。原稿は，画像読撮り面が上側になるように載置する。これにより，原稿が１枚ずつ自動的に画像読撮り位置まで搬送され，第１画像読撮部１により原稿の画像が読み撮られる。画像読撮り後，原稿はＡＤＦ１１の排紙トレイ１４に排紙される。
【００２７】
一方，第２画像読撮部４にて原稿の画像読撮りを行う場合には，操作者によって原稿が手差し給紙部３にセットされ，操作パネル９０のスタートボタンが押下される。原稿は，画像読撮り面が上側になるように載置する。これにより，原稿が１枚ずつ手差し給紙部３から装置内部に搬送され，第２画像読撮部４にて原稿画像が読み撮られる。その後，画像読撮りモードが選択されている際には，切替ガイド７が図１中の７ａの位置に配置されていることから，画像読撮りが終了した原稿は，切替ガイド７により第２搬送経路６側に搬送される。そして，第２搬送経路６を通って第２排紙トレイ９に排紙される。
【００２８】
続いて，複写機１００における画像形成動作について，給紙カセット１２から記録紙の供給を受ける場合と，手差し給紙部３から記録紙の供給を受ける場合とに分けて説明する。なお，給紙カセット１２と手差し給紙部３との選択は，操作パネル９０にてあらかじめ設定しておく。また，給紙カセット１２を選択した際には，あらかじめどの給紙カセットを使用するかを選択しておく。また，手差し給紙部３を選択した際には，あらかじめ給紙モードを選択しておく。
【００２９】
給紙カセット１２から記録紙の供給を受ける場合には，あらかじめ給紙カセット１２内に記録紙をセットしておく。画像形成の指示を受けると，画像形成部２の感光体ドラム上にトナー画像が形成される。そして，給紙カセット１２からは，記録紙が第１搬送経路５を通って画像形成部２に搬送される。そして，搬送されてきた記録紙には，画像形成部２にてトナー画像が転写される。転写後の記録紙は，定着器を経て第１排紙トレイ９に排紙される。
【００３０】
一方，手差し給紙部３から記録紙の供給を受ける場合には，あらかじめ手差し給紙部３に記録紙をセットしておく。画像形成の指示を受けると，画像形成部２の感光体ドラム上にトナー画像が形成される。そして，手差し給紙部３からは，記録紙が装置内部に送り込まれる。その後，給紙モードが選択されている際には，切替ガイド７が図１中の７ｂの位置に配置されていることから，手差し給紙部３から搬送されてきた記録紙は，第１搬送経路５を通って画像形成部２に搬送される。その後は給紙カセット１２からの給紙と同様であり，トナー画像が転写され，第１排紙トレイ１０に排紙される。
【００３１】
本形態の複写機１００は，ＡＤＦ１１の他，ＡＤＦ１１より低い位置に原稿を載置する場所，すなわち手差し給紙部３が設けられていることにより，それを有しない複写機と比較して，次のような特性を有する。すなわち，原稿の載置箇所を低い位置にも設けることで，健常者以外の操作者でも原稿のセットが容易となる。また，通常のＡＤＦ１１も設けられているため，健常者の操作性を損なうことはない。これにより，健常者の操作性を損なうことなく，健常者以外の者に対する操作性を向上させることができている。
【００３２】
また，手差し給紙部３から搬送される原稿の画像読撮り用に第２画像読撮部４が設けられている。すなわち，第２画像読撮部４が手差し給紙部３の近傍に設けられているため，原稿を装置の上位部の第１画像読撮部１まで搬送する機構は不要である。そのため，原稿の搬送経路がシンプルでありその経路長が短い。よって，原稿搬送の信頼性は高い。さらに，原稿の搬送経路がシンプルであるため，装置自体のコンパクト化，低コスト化を図ることができる。また，第２搬送経路６の経路長が短いため，原稿のジャムの発生が抑制される。また，万が一，原稿搬送時にジャムが発生したとしてもその復帰作業を容易に行うことができる。
【００３３】
［第２の形態］
第２形態の複写機２００は，図２に示すようにＡＤＦ１１と，第１画像読撮部１と，画像形成部２と，手差し給紙部３と，第２画像読撮部４と，給紙カセット１２とを備えている。これらの構成は，第１の形態と概略同じである。本形態の複写機２００は，第２画像読撮部４の画像読撮り面が画像形成部２の印字面と一致する向きに取り付けられている。すなわち，本形態の複写機２００は，第２画像読撮部４の画像読撮り面が下側となるところが第１の形態の複写機１００と異なる。
【００３４】
続いて，複写機２００の動作について説明する。なお，第１画像読撮部１での画像読撮りについては，第１の形態と同様であるため説明を省略する。まず，操作者により原稿あるいは記録紙が手差し給紙部３にセットされ，操作パネル９０のスタートキーが押下される。なお，原稿をセットする際には，印字面を下側とする。
【００３５】
その後，原稿または記録紙は，手差し給紙部３から第２画像読撮部４に向けて搬送され，第２画像読撮部４にて画像が読み撮られる。次に，読み撮った画像を解析し，画像情報があるか否かを判断する。すなわち，何らかの文字あるいは図画が描かれている原稿を読み撮ったのか，それとも白紙の記録紙を読み撮ったのかを判断する。画像情報があると判断した場合，すなわち原稿の画像を読み撮ったと判断した場合には，切替ガイド７が図２中の７ａの位置に自動的に切り替えられる。そして，第２画像読撮部４を通過した原稿は，第２搬送経路６を通って第２排紙トレイ９に排紙される。一方，画像情報がないと判断した場合，すなわち記録紙であると判断した場合には，切替ガイド７が図２中の７ｂの位置に自動的に切り替えられる。そして，第２画像読撮部４を通過した記録紙は，第１搬送経路５を通って画像形成部２に搬送され，画像形成部２にて印字が施されて第１排紙トレイ１０に排紙される。
【００３６】
すなわち，第２の形態の複写機２００では，第２画像読撮部４にて読み撮られた画像を基に，手差し給紙部３から搬送されてきた被搬送体が原稿であるか記録紙であるかを判断し，自動的に切替ガイド７の位置を切り替えている。そのため，手差し給紙部３を使用する際，操作者は動作モードを設定する必要がない。よって，第１の形態と比較して，操作が容易である。
【００３７】
また，第１の形態の複写機１００では，操作者が手動で動作モードを切り替えるため，操作ミスは避けられない。そのため，原稿を誤って画像形成部２に搬送し，原稿を損傷させてしまうことがある。しかしながら，本形態の複写機２００では，自動的に切替ガイド７の位置を切り替えていることから，操作者の操作ミスを回避することができる。そのため，原稿の損傷が抑制される。
【００３８】
なお，前述した動作モードの自動切換えと第１の形態の複写機１００のように手動切換えとを操作者が選択することができることとしてもよい。その場合，自動切換えと手動切換えとの選択は，例えば操作パネル９０でのスイッチ操作によって行う。
【００３９】
［第３の形態］
第３形態の複写機３００は，図３に示すようにＡＤＦ１１と，第１画像読撮部１と，画像形成部２と，手差し給紙部３と，第２画像読撮部４と，第２手差し給紙部８と，給紙カセット１２とを備えている。本形態の複写機３００は，記録紙を載置する手差し給紙部３と原稿を載置する第２手差し部８とが別々に設けられている。また，第２画像読撮部４が第１排紙トレイ１０の排出口の近傍に設けられている。また，第２手差し給紙部８が定着器の近傍に設けられている。
【００４０】
本形態では，記録紙が手差し給紙部３あるいは給紙カセット１２から画像形成部２を経て第１排紙トレイ１０に至るまでの経路を「第１搬送経路５」とし，原稿が第２手差し給紙部８から第１排紙トレイ１０に至るまでの経路を「第２搬送経路６」とする。第１搬送経路５は，画像形成部２より下流側の部分で第２搬送経路２と共通している。そして，第１搬送経路５と第２搬送経路６とが共通する箇所に第２画像読撮部４が設けられている。そのため，第２画像読撮部４は，原稿の画像を読み撮る他，記録媒体に形成された画像を読み撮ることもできる。
【００４１】
本形態の複写機３００では，記録紙が画像形成部２を経て第１排紙トレイ１０に排紙される際，排出口の近傍の印字面側に配置された第２画像読撮部４により，記録紙に印字された画像が読み撮られる。これにより，出力画像を監視することができる。そのため，例えば紙幣や有価証券の偽造防止機能を装置に付加することが可能となる。
【００４２】
また，第２手差し給紙部８は，第１画像読撮部１より低い位置に配置されている。そのため，原稿のセットに第２手差し給紙部８を使用することにより，車椅子利用者等も容易に操作可能となる。また，第２搬送経路６経路はシンプルでかつその経路長が短いため，原稿搬送における信頼性が高い。
【００４３】
［第４の形態］
第４形態の複写機４００は，図４に示すようにＡＤＦ１１と，第１画像読撮部１と，画像形成部２と，手差し給紙部３と，第２画像読撮部４と，第２手差し給紙部８と，給紙カセット１２とを備えている。本形態の複写機４００は，第３の形態の複写機３００に対して，第１排紙トレイ１０の上方に第２排紙トレイ９を設け，さらに第１搬送経路５上に，記録紙の排出先の搬送経路を選択可能とする切替ガイド１３が設けられている。また，第１排紙トレイ１０の排出口近傍には第３画像読撮部１４が，第２排紙トレイ９の排出口近傍には第２画像読撮部４がそれぞれ設けられている。
【００４４】
なお，この切替ガイド１３は，操作パネル９０にて選択される動作モード等によって切替え可能に設けられている。具体的に，切替ガイド１３は，記録紙を第１排紙トレイ１０に排出する場合には図４中の１３ａの位置に，第２排紙トレイ９に排出する場合には図４中の１３ｂの位置に切り換えられる。
【００４５】
本形態の複写機４００では，記録紙の搬送経路に分岐点が設けられており，複数の排紙経路を備えている。すなわち，搬送経路５は，原稿の搬送経路を介さずに記録紙を排紙する搬送経路５１と，原稿の搬送経路と合流して記録紙を排紙する搬送経路５２とに分岐している。これにより，本形態の複写機４００は，原稿の画像読撮り時には，原稿の画像読撮りに第２搬送経路６を，画像形成に搬送経路５１をそれぞれ利用することにより，画像読撮りと画像形成とを並行して行うことが可能となる。また，画像形成のみを行う時には，切替ガイド１３を適宜切り替えて搬送経路５１，５２をそれぞれ利用することにより，記録紙の排紙先を用途に応じて振り分けることが可能となる。これらにより，作業の効率化が図られる。
【００４６】
具体的には，第２手差し給紙部８から原稿を供給して原稿画像を読み撮る際には，切替ガイド１３を図４中の１３ａの位置に固定する。これにより，画像形成部２からの記録紙用搬送経路と，第２手差し給紙部８からの原稿用搬送経路とを分けることができる。そのため，画像形成動作と画像読撮り動作とを並行して行うことができ，作業の効率化を図ることができる。一方，画像形成を行う際には，切替ガイド１３の位置を１３ａの位置と１３ｂの位置とで適宜切り替える。これにより，記録紙の種類等に応じて排紙先を振り分けることが可能となり，作業の効率化を図ることができる。
【００４７】
なお，本実施の形態は単なる例示にすぎず，本発明を何ら限定するものではない。したがって本発明は当然に，その要旨を逸脱しない範囲内で種々の改良，変形が可能である。例えば，実施の形態では複写機に本発明を適用しているがこれに限るものではない。すなわち，プリンタ，スキャナ，ＦＡＸあるいはワードプロセッサ等であっても適用可能である。また，コピー機能やプリンタ機能等の複数の機能を備えた複合機であってもよい。
【００４８】
また，手差し給紙部３を画像読撮りモードとするか給紙モードとするかの選択手段は，操作パネル９０からのスイッチ操作に限るものではない。例えば，操作パネルより低い位置に切替レバーを設け，その切替レバーの操作によって選択するとしてもよい。また，外部端末機器によって選択可能としてもよい。
【００４９】
また，第１の形態の複写機１００あるいは第２の形態の複写機２００について，記録紙の排紙口の近傍に第３画像読撮部を設けてもよい。これにより，これらの複写機についても出力画像の監視を行うことが可能になる。
【００５０】
また，第４の形態の複写機４００では，第１搬送経路５が２つの搬送経路に分岐しているが，これに限るものではない。すなわち，分岐点を複数設けてもよい。その場合，搬送経路ごとに排紙トレイを設ける。また，分岐経路ごとに第３画像読撮部を設けると，より確実に出力画像を監視することができる。
【図面の簡単な説明】
【００５１】
【図１】第１の形態に係る複写機を示す断面図である。
【図２】第２の形態に係る複写機を示す断面図である。
【図３】第３の形態に係る複写機を示す断面図である。
【図４】第４の形態に係る複写機を示す断面図である。
【符号の説明】
【００５２】
１      第１画像読撮部（第１画像読撮部）
２      画像形成部（画像形成部）
３      手差し給紙部（第２原稿載置部）
４      第２画像読撮部（第２画像読撮部）
５      第１搬送経路（第１搬送経路）
６      第２搬送経路（第２搬送経路）
７      切替ガイド（搬送経路ガイド部）
８      第２手差し給紙部（第２原稿載置部）
９      第２排紙トレイ
１０    第１排紙トレイ
１１    原稿自動搬送装置（第１原稿載置部）
１２    給紙カセット
１３    切替ガイド
１４    第３画像読撮部（第３画像読撮部）
９０    操作パネル
１００  複写機（画像形成装置）
【図１】
2005345623.tif 000003
【図２】
2005345623.tif 000004
【図３】
2005345623.tif 000005
【図４】
2005345623.tif 000006